(57)【要約】【課題】簡単な構成で印刷依頼部門を的確に管理して印刷ジョブを実行する部門管理機能を有する画像形成装置、及びこれらの部門管理方法を提供する。【解決手段】印刷データに従って所定の印刷を行う印刷部１４を有し、外部との通信インターフェース１７は、複数部門にそれぞれ設けられたコンピュータ１とネットワーク３を介して接続され、各部門に通知したアドレスがそれぞれ割り当てられている。そして、各部門のコンピュータ１から、その部門に通知したアドレス及び印刷データからなる印刷ジョブ１０がネットワーク３を介して送信されてくると、制御部１２は、通信インターフェース１７に割り当てられたアドレスとの対応関係でこの印刷ジョブを送信した部門を判別して、印刷データに基づく印刷を実行させる。【選択図】図５
2008198183.tif 000002
【特許請求の範囲】
【請求項１】
部門管理機能を有する画像形成装置であって、
印刷データに従って所定の印刷を行う印刷部と、
複数部門にそれぞれ設けられたコンピュータとネットワークを介して接続され、前記複数部門のコンピュータ毎に通知した互いに異なるアドレスがそれぞれ割り当てられた外部との通信インターフェースと、
各部門のコンピュータから、その部門に通知したアドレス及び印刷データからなる印刷ジョブが前記ネットワークを介して送信されてくると、前記通信インターフェースによりこの印刷ジョブを受信し、前記通信インターフェースに割り当てられたアドレスとの対応関係でこの印刷ジョブを送信した部門を判別すると共に、前記印刷データに基づく印刷を前記印刷部に実行させる制御部と
を備えたことを特徴とする画像形成装置。
【請求項２】
前記制御部は、前記印刷ジョブを送信した部門の判別結果に基づき、前記印刷ジョブ数を部門別にカウントするカウンタを備えていることを特徴とする請求項１に記載の画像形成装置。
【請求項３】
印刷要求を行う複数部門にそれぞれ設けられ、かつネットワークに接続されており、自部門に通知されたプリンタのアドレスが設定されているプリンタドライバを有し、印刷要求時は前記プリンタのアドレス及び印刷データからなる印刷ジョブを前記ネットワークに送信するコンピュータと、
前記複数部門にそれぞれ設けられたコンピュータとネットワークを介して接続され、前記複数部門のコンピュータ毎に通知した互いに異なる前記アドレスがそれぞれ割り当てられ、前記複数部門のコンピュータから送信された、前記アドレス及び印刷データからなる印刷ジョブを、前記ネットワークを介して受信する外部との通信インターフェースと、
前記通信インターフェースにより受信された前記印刷ジョブのアドレスと、前記通信インターフェースに割り当てられたアドレスとの対応関係でこの印刷ジョブを送信した部門を判別すると共に、前記印刷データに基づく印刷を実行させる制御部と、
前記制御部による印刷実行指令により前記印刷データに従って所定の印刷を行う印刷部と、
を備えたことを特徴とするネットワークプリンタシステム。
【請求項４】
印刷要求を行う複数部門にそれぞれ設けられ、かつネットワークに接続されており、自部門に通知されたプリンタのアドレスが設定されているプリンタドライバを有するコンピュータが、印刷要求のために前記プリンタのアドレス及び印刷データからなる印刷ジョブを前記ネットワークに送出する段階と、
前記複数部門のコンピュータから、前記アドレス及び印刷データからなる印刷ジョブが前記ネットワークを介して送信されてくると、ネットワークに接続され、前記複数部門のコンピュータ毎に通知した互いに異なる前記アドレスがそれぞれ割り当てられた外部との通信インターフェースによりこの印刷ジョブを受信する段階と、
前記通信インターフェースで受信された前記印刷ジョブのアドレスと、前記通信インターフェースに割り当てられた前記アドレスとの対応関係でこの印刷ジョブを送信した部門を判別する段階と、
前記印刷データに基づく印刷を実行させる段階と、
を有することを特徴とするネットワークプリンタシステムの部門管理方法。
【発明の詳細な説明】
【技術分野】
【０００１】
本発明は、各部門からの印刷ジョブを部門別に管理して印刷を行う部門管理機能を有する画像形成装置、この画像形成装置を用いた部門管理機能を有するネットワークプリンタ、及び前記ネットワークプリンタにおける部門管理方法に関する。
【背景技術】
【０００２】
近年、ネットワークにより、少なくとも１台の画像形成装置と複数の部門ごとに設けられたコンピュータとを接続した印刷システムが用いられるようになっている。この印刷システムでは、各部門からの印刷要求を、ネットワークを介して画像形成装置で受け、印刷を行うと共にその印刷数を部門別にカウントするなどの部門管理を行っている。このような部門管理を行うことにより、課金を行ったり、印刷枚数制限や経費節減の指導を行ったりすると共に、登録されていない部門がシステムを不正に使用することを防ぐようにしている。
【０００３】
従来の部門管理の手法としては、部門ＩＤにより印刷枚数等を管理するものが提案されている（例えば、特許文献１参照）。
【０００４】
このような画像形成装置は、いわゆるネットワークプリンタとして使用されるので、ネットワークと接続する外部との通信インターフェースを有する。この通信インターフェースには１つのＩＰアドレスが割り当てられている。部門印刷を行う場合は、管理者によって、画像形成装置（以下、ネットワークプリンタと呼ぶ）側に、各部門に対応した部門コードが設定される。また、管理者からユーザへ、ネットワークプリンタのＩＰアドレスと、部門ＩＤを通知する。
【０００５】
ユーザは、自部門のコンピュータ（以下、ＰＣとする）にネットワークプリンタ専用のプリンタドライバをインストールする。このとき、管理者から通知されたネットワークプリンタのＩＰアドレスを入力する。また、ユーザは印刷前にプリンタドライバのユーザインターフェースを開き、同じく管理者から通知された部門ＩＤを入力する。これ以降は、ネットワークを介してネットワークプリンタに印刷要求を行い、部門印刷を行うことができる。
【０００６】
なお、各部門のコンピュータに専用のプリンタドライバをインストールする理由は、通常の汎用ドライバでは部門ＩＤを入力する機能がなく、部門ＩＤを入力できないためである。前述のように、従来は各部門のコンピュータに部門ＩＤを入力しなければならないので、部門ＩＤの入力機能を持たせた専用プリンタドライバをインストールしなければならない。
【０００７】
ネットワークプリンタは、ユーザからの印刷ジョブを受け付けると、印刷ジョブの情報の一部として受信した部門ＩＤにより印刷ジョブを送信した部門を判断し、印刷を行う。これらの管理者とユーザとによる部門ＩＤの設定によって部門印刷が可能となる。
【特許文献１】特開２００２−２３６５７７号公報
【発明の開示】
【発明が解決しようとする課題】
【０００８】
このようなシステムでは、ユーザは、ネットワークプリンタの部門印刷を行うために、ネットワークプリンタのＩＰアドレスと、専用のプリンタドライバと、部門コードの３つが必要であり、システムが複雑となる。
【０００９】
また、ネットワークプリンタで部門印刷を行う場合、ユーザは専用プリンタドライバのユーザインターフェース上で、使用する部門コードを入力しなければならない。しかし、入力忘れやプリンタドライバの設定の初期化により部門コードを消してしまうおそれがある。すなわち、ユーザ自身の操作ミスによって印刷出来ない状況が発生することがある。
【００１０】
本発明の目的は、簡単な構成で印刷依頼部門を的確に管理することができる部門管理機能を有する画像形成装置、この画像形成装置を用いた部門管理機能を有するネットワークプリンタシステム、及び前記ネットワークプリンタシステムにおける部門管理方法を提供することにある。
【課題を解決するための手段】
【００１１】
本発明の画像形成装置は、印刷データに従って所定の印刷を行う印刷部と、複数部門にそれぞれ設けられたコンピュータとネットワークを介して接続され、前記複数部門のコンピュータ毎に通知した互いに異なるアドレスがそれぞれ割り当てられた外部との通信インターフェースと、各部門のコンピュータから、その部門に通知したアドレス及び印刷データからなる印刷ジョブが前記ネットワークを介して送信されてくると、前記通信インターフェースによりこの印刷ジョブを受信し、前記通信インターフェースに割り当てられたアドレスとの対応関係でこの印刷ジョブを送信した部門を判別すると共に、前記印刷データに基づく印刷を前記印刷部に実行させる制御部とを備えたことを特徴とする。
【００１２】
また、本発明のネットワークプリンタシステムは、印刷要求を行う複数部門にそれぞれ設けられ、かつネットワークに接続されており、自部門に通知されたプリンタのアドレスが設定されているプリンタドライバを有し、印刷要求時は前記プリンタのアドレス及び印刷データからなる印刷ジョブを前記ネットワークに送信するコンピュータと、前記画像形成装置とで構成されている。
【００１３】
そして、本発明のネットワークプリンタシステムの部門管理方法では、複数部門にそれぞれ設けられたコンピュータコンピュータから、その部門に通知したアドレス及び印刷データからなる印刷ジョブがネットワークを介して送信されてくると、前記ネットワークに接続され、前記複数部門のコンピュータ毎に通知した互いに異なるアドレスがそれぞれ割り当てられた外部との通信インターフェースでこの印刷ジョブを受信し、前記通信インターフェースで受信された前記印刷ジョブのアドレスと、前記通信インターフェースに割り当てられたアドレスとの対応関係でこの印刷ジョブを送信した部門を判別し、前記印刷ジョブの印刷データに基づく印刷を印刷部に実行させている。
【発明の効果】
【００１４】
本発明によれば、画像形成装置側において、部門毎に異なる複数のアドレスを設定し、このアドレスを各部門に通知し、プリンタドライバに設定させるので、従来、部門印刷において必要としていた部門コードの入力を省くことができ、各部門側では、ユーザコンピュータにより印刷操作を行うだけで、画像形成装置側では印刷部門を判別して印刷カウントなど、印刷部門を管理することができる。
【発明を実施するための最良の形態】
【００１５】
以下、本発明の一実施の形態について、図面を用いて詳細に説明する。
【００１６】
図１は、複数の部門にそれぞれ設けられたコンピュータ（以下、ユーザＰＣ）１と、これら各部門のユーザＰＣ１とネットワーク３を介してそれぞれ接続可能な画像形成装置（以下、ネットワークプリンタ）２との関係を模式的に表している。この実施の形態では、各部門のユーザＰＣ１からネットワーク３経由で送られてくる印刷ジョブをネットワークプリンタ２により印刷する、所謂部門印刷を行う。例として、ＩＰｖ６（Internet Protocol Version 6）の基盤プロトコルを適用したネットワーク環境にて、複数部門（部門無し、部門Ｘ、部門Ｙ、部門Ｚ）の部門管理(部門カウント)を行う場合を考える。
【００１７】
ここで、ＩＰｖ６は、インターネットの基盤となる通信プロトコルの次世代バージョンである。これまで使われてきたＩＰプロトコルはＩＰｖ４と呼ばれ、ＩＰアドレスに３２ｂｉｔの番号を使っていた。これに対してＩＰｖ６は、ＩＰアドレスに１２８ｂｉｔの番号が使われる。
【００１８】
図２は、ネットワークプリンタ２の内部構成を示している。画像読み取り部１１は、ネットワーク３を介さずに、直接的に原稿などを読み取るスキャナ機能を有する。制御部１２は、図示しないＣＰＵ、ＲＯＭ、ＲＡＭで構成されており、ネットワークプリンタ２内の各部を総合的に制御すると共に、後述する部門カウント等を制御する。コントロール・パネル１３は、ネットワークプリンタ２に対する各種の指令を入力するスイッチや状態表示用の表示器などを有する。印刷部１４は、印刷データにしたがって所定の印刷を実行する。画像処理部１５は、印刷データをビットマップに展開するなど、印刷を可能にするための加工を行う。ハードディスク１６は、後述する部門テーブルや各種の設定事項を格納する。外部との通信インターフェース１７は、図１で示した各部門のユーザＰＣ１とネットワーク３を介して接続可能に構成されている。これら各部は内部バスにより相互に接続されている。
【００１９】
管理者は、ネットワークプリンタ２側に、各部門に対応したＩＰアドレスを設定する。ここで、ネットワーク環境は、前述のようにＩＰｖ６を適用しているので、部門毎に互いに異なるＩＰｖ６アドレスを図７のデータテーブルのように設定する。
【００２０】
この各部門に対するＩＰｖ６アドレスの設定は、図２における制御部１２により、ハードディスク１６の部門テーブル表に設定され、各ＩＰｖ６アドレスは通信インターフェース１７に割り当てられる。すなわち、ネットワークプリンタ２の１枚のネットワークインタフェースカード（ＮＩＣ）にＩＰエイリアス機能を使って複数のＩＰｖ６アドレスを割り当てる。それぞれのＩＰｖ６アドレスは部門毎の受信箱として機能する。
【００２１】
ここで、ＩＰエイリアス機能は、現在広く用いられているＩＰｖ４でも機能追加を行えば使用できるが、ＩＰｖ４の限られたアドレス数のなかで複数アドレスを１つの機器に使用することは実用的ではなく現在は行われていない。ＩＰｖ６では膨大なアドレス空間が使用でき、複数アドレスを１つの機器に使用することができる。
【００２２】
図３は、管理者により、ネットワークプリンタ２側に、各部門に対応したＩＰｖ６アドレスを設定する手順を説明している。ネットワークプリンタ２の部門設定が開始されると（ステップ３００）、始めに、部門管理（部門印刷）を有効にし（ステップ３０１）、登録済みの部門と対応するＩＰアドレスを前記図７（実際には図示左欄の部門と、図示右欄のＩＰｖ６アドレスの省略表記）で示すように表示させる（ステップ３０２）。この既登録部門を参照しながら、それぞれの部門にＩＰｖ６アドレスの割当、及び部門カウンタ等の設定を行う。
【００２３】
すなわち、新規登録を行う場合は（ステップ３０３：Ｙｅｓ）、新規部門に対する新たなＩＰｖ６アドレスの割当、及び新たな部門カウンタの設定を行う（ステップ３０４）。新規登録ではなく（ステップ３０３：Ｎｏ）、既部門のＩＰアドレスを変更する場合（ステップ３０５：Ｙｅｓ）は、ＩＰｖ６アドレスの割当変更、及び部門カウンタの設定変更を行う（ステップ３０６）。このようにして全ての部門についてＩＰｖ６アドレスの割当、及び部門カウンタ等の設定が終了すると（ステップ３０７：Ｎｏ）、ネットワークプリンタ２の部門設定を終了する（ステップ３０８）。
【００２４】
各部門に割り当てられたＩＰｖ６アドレスは、管理者により各部門に通知される。例えば、ユーザの部門をＸとすると、ＩＰｖ６アドレス”fe80::0002”（以下、全て省略表記とする）が管理者から通知される。各部門のユーザは、管理者から通知されたＩＰｖ６アドレス”fe80::0002”を自部門のユーザＰＣ１に、図４で示す手順で設定する。
【００２５】
図４において、ユーザＰＣ１に、ネットワークプリンタ２のプリンタドライバをインストールする作業を開始する（ステップ４０１）。汎用プリンタドライバがインストール済みで、それを使用する場合は（ステップ４０２：Ｙｅｓ）、ＩＰアドレスをＸ部門のＩＰｖ６アドレス”fe80::0002”に設定変更する（ステップ４０３）。汎用プリンタドライバを使用しない場合は（ステップ４０２：Ｎｏ）、専用のプリンタドライバをユーザＰＣ１にインストールし（ステップ４０４）、使用するＸ部門のＩＰｖ６アドレス”fe80::0002”を入力する（ステップ４０５）。これらの操作（ステップ４０３又は４０５）が終了するとユーザＰＣ１に対する操作は全て終了し（ステップ４０６）、印刷可能な状態となる。
【００２６】
なお、従来はユーザＰＣに部門ＩＤを設定する必要があり、前述のように、汎用ドライバには部門ＩＤを設定する機能がないため、汎用ドライバは使用できなかった。しかし、この発明では部門ＩＤを設定する必要がないため、汎用ドライバを使用でき、ユーザＰＣ１に既に汎用ドライバがインストールされていればその汎用ドライバを用い、ＩＰアドレスのみ、使用するＸ部門のＩＰｖ６アドレス”fe80::0002”に設定を変更すればよい。
【００２７】
このような構成において、ユーザＰＣ１側では、ネットワークプリンタ２で印刷を行う場合、何の設定を行うことなく部門印刷を行うことができる。すなわち、従来はユーザＰＣにてネットワークプリンタによる部門印刷を行う場合は、プリンタドライバのユーザインターフェースを開き、このユーザインターフェース上で部門ＩＤを入力した上で印刷を実行する必要があった。これに対し、この発明では、部門ＩＤの入力を要しないため何の設定操作を要することなく、ユーザＰＣ１上で印刷操作を行えば、ネットワークプリンタ２上において部門印刷を行うことができる。
【００２８】
図５は部門印刷における印刷ジョブの流れを説明している。図５において、例えば、部門ＸのユーザＰＣ１で印刷操作を行うと、このＰＣ１から印刷ジョブ１０がネットワーク３経由でネットワークプリンタ２に送られる。印刷ジョブ１０には印刷データと共に、ユーザＰＣ１のプリンタドライバに設定されたネットワークプリンタ２のＩＰｖ６アドレス”fe80::0002”が付されている。
【００２９】
ユーザＰＣ１からネットワークプリンタ２へ送られた印刷ジョブ１０は、外部との通信インターフェース１７で受信される。通信インターフェース１７には、部門毎のＩＰｖ６アドレス”fe80::0001”、 ”fe80::0002”、 ”fe80::0003”、 ”fe80::0004”が割り付けられているので、ネットワークプリンタ２側で受け取った印刷ジョブ１０に付されたＩＰｖ６アドレス”fe80::0002”との対応関係から印刷ジョブ１０を送信した部門がＸであることを判断する。その結果、図２における制御部１２の印刷カウンタを部門Ｘでカウントすると共に、印刷データに従って印刷部１４で印刷を実行するなど、部門印刷を行う。
【００３０】
上記動作を図６のフローチャートで説明する。ネットワークプリンタ２の制御部１２において、部門判断処理が開始されると（ステップ６０１）、ジョブ１０をどのＩＰアドレスで受け取ったかを判断する（ステップ６０２）。
【００３１】
すなわち、通信インターフェース１７には、前述のように、部門毎のＩＰｖ６アドレス”fe80::0001”、 ”fe80::0002”、 ”fe80::0003”、 ”fe80::0004”が割り付けられているので、どのＩＰｖ６アドレスで受信したかを判断する。その結果、ＩＰｖ６アドレス”fe80::0001”で受信した場合（ステップ６０２１）はステップ６０３１，６０４１に進み、ＩＰｖ６アドレス”fe80::0002”で受信した場合（ステップ６０２２）はステップ６０３２，６０４２に進み、ＩＰｖ６アドレス”fe80::0003”で受信した場合（ステップ６０２３）はステップ６０３３，６０４３に進み、ＩＰｖ６アドレス”fe80::0004”で受信した場合（ステップ６０２４）はステップ６０３４，６０４４に進む。上記例では印刷ジョブ１０には部門ＸのＩＰｖ６アドレス”fe80::0002”が付されているので、通信インターフェース１７に割り付けられたＩＰｖ６アドレス”fe80::0002”で受信される（ステップ６０２２）。このため、ステップ６０３２に進み、このＩＰｖ６アドレス”fe80::0002”から部門Ｘの印刷ジョブと判断する。さらに、ステップ６０４２に進み部門Ｘでのカウント及び印刷を行う（ステップ６０４２）。これらが終了すると部門を判断する処理を終了する（ステップ６０５）。
【００３２】
このように、この実施の形態では、ネットワークプリンタ２側において、部門毎に異なる複数のＩＰｖ６アドレスを設定し、このＩＰｖ６アドレスを各部門に通知し、ネットワークプリンタのプリンタドライバに設定させるので、従来、部門印刷において必要としていた部門ＩＤの入力を省くことができる。すなわち、従来は、印刷ジョブの情報の一部として受信した部門ＩＤから印刷部門を判断していたが、この実施の形態では、受け取ったＩＰｖ６アドレスから印刷ジョブを送信した部門を判断する。したがって、各部門側では、ユーザＰＣ１により印刷操作を行うだけでよい。ネットワークプリンタ２側では、ＩＰｖ６アドレスから印刷部門を判別して印刷カウントなど、部門印刷処理を行うことができる。
【００３３】
また、部門ＩＤの入力を要しないため、ユーザＰＣ１にインストールされる、ネットワークプリンタ２のプリンタドライバには、汎用のドライバを使用することができる。したがって、従来のように専用ドライバをインストールする必要はない。
【００３４】
なお、ＩＰアドレスは、ネットワーク上の機器を指定する方法の1つであり、各部門に対してインターフェース１７に割り当てられるアドレスとしてホスト名を使用してもかまわない。図３のステップ３０４，３０６において、部門のＩＰアドレスとして、ＩＰｖ６アドレスに代ってホスト名を新たに設定したり、ホスト名を変更したりしてもよい。複数の部門とこれに対応するホスト名との関係を図８に示す。
【００３５】
なお、図８において、中央欄のＩＰｖ６アドレスは、図７との対応関係を表すために記したものであり、実際には図示左欄の部門名と右欄のホスト名とからテーブル表は作られている。
【００３６】
このようにホスト名を各部門に対応させた場合も、管理者はネットワークプリンタ２の部門設定を行うために、図３で示すように、登録済みの部門と対応するホスト名を図８で示すように表示させる（ステップ３０２）。この既登録部門を参照しながら、次にそれぞれの部門にホスト名の割当、及び部門カウンタ等の設定を行う。
【００３７】
すなわち、新規登録を行う場合（ステップ３０３：Ｙｅｓ）、新規部門に対する新たなホスト名の割当、及び新たな部門カウンタの設定を行う（ステップ３０４）。新規登録ではなく（ステップ３０３：Ｎｏ）、既部門のホスト名を変更する場合（ステップ３０５：Ｙｅｓ）は、ホスト名の割当変更、及び部門カウンタの設定変更を行う（ステップ３０６）。このようにして全ての部門についてホスト名の割当、及び部門カウンタ等の設定が終了すると（ステップ３０７：Ｎｏ）、ネットワークプリンタ２の部門設定を終了する（ステップ３０８）。
【００３８】
各部門に割り当てられたホスト名は、管理者により各部門に通知される。例えば、ユーザの部門をＸとすると、ホスト名Prndep_xが管理者から通知される。各部門のユーザは、管理者から通知されたホスト名を自部門のユーザＰＣ１に設定する。すなわち、ＩＰｖ６アドレスの場合と同様に、図４で説明した手順でユーザＰＣ１にインストールしたネットワークプリンタ２のプリンタドライバに、自部門（Ｘとする）に通知されたホスト名Prndep_xを入力し設定する。
【００３９】
このような構成においても、ユーザＰＣ１側では、ネットワークプリンタ２で印刷を行う場合、何の設定を行うことなく部門印刷を行うことができる。すなわち、部門ＩＤの入力を要しないため何の設定操作を要することなく、ユーザＰＣ１上で印刷操作を行えば、ネットワークプリンタ２上において部門印刷を行うことができる。
【００４０】
部門印刷における印刷ジョブの流れは、ＩＰｖ６アドレスを用いた場合を説明した図５、図６を同じである。すなわち、図５、図６におけるＩＰｖ６アドレスをホスト名と読みかえればよい。例えば、部門ＸのユーザＰＣ１で印刷操作を行うと、このＰＣ１から印刷ジョブ１０がネットワーク３経由でネットワークプリンタ２に送られる。印刷ジョブ１０には印刷データと共に、ユーザＰＣ１のプリンタドライバに設定されたホスト名Prndep_xが付されている。
【００４１】
印刷ジョブ１０が受信される、外部との通信インターフェース１７には、部門毎のホスト名Prn_other、Prndep_x、Prndep_y、Prndep_zが割り付けられているので、印刷ジョブ１０に付されたホスト名Prndep_xとの対応関係から、この印刷ジョブ１０を送信した部門がＸであると判断する。その結果、印刷カウンタを部門Ｘでカウントすると共に、印刷データに従って印刷を実行するなど、部門印刷を行う。
【００４２】
このように、この実施の形態では、ネットワークプリンタ２側において、部門毎に異なる複数のホスト名を設定し、このホスト名を各部門に通知し、ネットワークプリンタのプリンタドライバに設定させるので、従来、部門印刷において必要としていた部門コードの入力を、この実施の形態では省くことができる。したがって、各部門側では、ユーザＰＣ１により印刷操作を行うだけで、ネットワークプリンタ２側では、ホスト名から印刷部門を判別して印刷カウントなど、部門印刷処理を行うことができる。
【００４３】
なお、上記実施の形態では、ＩＰｖ６アドレス及びホスト名による設定を説明したが、他のネットワークの名前解決であるNetBIOS名等も同様に使用できる。
【図面の簡単な説明】
【００４４】
【図１】本発明の一実施の形態における画像形成装置と部門との関係を示す模式図である。
【図２】本発明の一実施の形態における画像形成装置を内部構成を示すブロック図である。
【図３】本発明の一実施の形態の画像形成装置における部門設定の流れを説明するフローチャートである。
【図４】本発明の一実施の形態におけるユーザ側コンピュータにドライバをインストールする流れを説明するフローチャートである。
【図５】本発明の一実施の形態の画像形成装置における印刷ジョブの流れを説明するブロック図である。
【図６】本発明の一実施の形態の画像形成装置における部門判断の流れを説明するフローチャートである。
【図７】本発明の一実施の形態における部門とＩＰｖ６アドレスとの関係を示すテーブルを表す図である。
【図８】本発明の他の実施の形態における部門とホスト名との関係を示すテーブルを表す図である。
【符号の説明】
【００４５】
１    部門に設けられたコンピュータ
２    画像形成装置（ネットワークプリンタ）
３    ネットワーク
１２    制御部
１４    印刷部
１７    通信インターフェース
【図２】
2008198183.tif 000003
【図３】
2008198183.tif 000004
【図４】
2008198183.tif 000005
【図６】
2008198183.tif 000006
【図７】
2008198183.tif 000007
【図８】
2008198183.tif 000008
【図１】
2008198183.tif 000009
【図５】
2008198183.tif 000010